(57)【要約】【課題】設置面積が小さく使用性の高い生ごみ処理機の提供することを目的とする。【解決手段】生ごみを収納する生ごみ収納容器２と前記生ごみを攪拌する攪拌手段３とを内蔵した本体１と、前記生ごみ収納容器２内および／または前記本体１内の空気を外部へ排出する排気手段１６とを備え、前記生ごみ収納容器２の略下方に前記排出手段１６を配設したもので、本体１の前後長を抑えることで設置面積を小さくでき、その結果、設置面積が小さくマンションやアパートでも容易に設置できる。【選択図】図１
2005218929.tif 000002
【特許請求の範囲】
【請求項１】
生ごみを収納する生ごみ収納容器と前記生ごみを撹拌する撹拌手段とを内蔵した本体と、前記生ごみ収納容器内および／または前記本体内の空気を外部へ排出する排気手段とを備え、前記生ごみ収納容器の略下方に前記排出手段を配設した生ごみ処理機。
【請求項２】
排気手段を、ターボファンと前記ターボファンの周囲を覆い開口を有するファンケースとで構成した請求項１記載の生ごみ処理機。
【請求項３】
ターボファンのファン側を、本体の接地面の方向に対向するように配設して排気手段を構成した請求項２記載の生ごみ処理機。
【請求項４】
ターボファンのファン側を、本体の接地面に対して略水平方向に向くように配設して排気手段を構成した請求項２記載の生ごみ処理機。
【請求項５】
ターボファンの少なくとも片面にシロッコファンを形成して、前記ターボファンは、生ごみ収納容器からの空気を、前記シロッコファンは本体内からの空気を吸引するとともに、前記吸引した両空気は、前記ファンケースからの排気時に混合されるよう構成した請求項２〜４のいずれか１項に記載の生ごみ処理機。
【請求項６】
ターボファンの反吸気口側の面にシロッコファンを形成して、ファンケース内部では、前記シロッコファンと前記ターボファンとの回転により発生する空気はそれぞれ分離して流れるよう構成した請求項５記載の生ごみ処理機。
【請求項７】
ターボファンの吸気口側の面にシロッコファンを形成して、ファンケース内部では、前記シロッコファンと前記ターボファンとの回転により発生する空気はそれぞれ分離して流れるように、前記シロッコファン外周に隔壁を設けた請求項５記載の生ごみ処理機。
【請求項８】
本体内に空気を取り入れるための流入口の上方に、把手部を設けた請求項１〜７のいずれか１項に記載の生ごみ処理機。
【請求項９】
流入口の本体内方側に、前記流入口に対向させて壁部を形成した請求項８記載の生ごみ処理機。
【請求項１０】
流入口の本体内方側に、格子状でかつ前記流入口に対して傾斜させた壁部を形成した請求項８記載の生ごみ処理機。
【請求項１１】
蓋を開けた際に、前記蓋が把手部の上方に位置する構成とした請求項８記載の生ごみ処理機。
【請求項１２】
ファンケースの排気下流側に排気減速部を設けた請求項２〜７のいずれか１項に記載の生ごみ処理機。
【請求項１３】
排気減速部の排気下流側に風方向変換部を設けた請求項１２記載の生ごみ処理機。
【発明の詳細な説明】
【技術分野】
【０００１】
本発明は、台所等で出る生ごみを処理する生ごみ処理機に関するものである。
【背景技術】
【０００２】
従来の生ごみ処理機を図８を用いて説明する。１は生ごみ処理機本体、２は生ごみを収納する生ごみ収納容器で、底面に生ごみを撹拌する撹拌羽根３を備えている。この生ごみ収納容器２の上部に生ごみを加熱する加熱手段６が配してある。加熱手段６は乾燥用ヒータ７及び、乾燥ファン８から構成され、熱風を生ごみに当てて生ごみの表面を加熱する。なお乾燥ファン８は乾燥モーター９により回転駆動される。
【０００３】
また、生ごみ収納容器２の上方に吸気口１０が設けられており、この吸気口１０は生ごみ収納容器２を介して接続パイプ１１を通じて脱臭手段１２に接続されている。脱臭手段１２は加熱されて臭気を脱臭する触媒１４と、触媒１４を加熱する触媒加熱ヒータ１５と、臭気を触媒１４を介して排気口１８より外部に排出する排気手段１６（ターボファン１９、排気モーター２２）から構成されている。生ごみ処理機本体１内には制御手段５、撹拌羽根３を駆動する駆動手段４を設けてある。２３は生ごみ収納容器２と吸気口１０、接続パイプ１１、脱臭手段１２を介して連通しているファンガイドで、ターボファン１９とファンガイド２３を近接させることによって、ターボファン１９の吸引圧と吸引風量を発生させる。ターボファン１９の片面には本体を冷却するためのシロッコファン２０を形成している。
【０００４】
また、排気口１８は、ターボファン１９の下方側の排気の延長線上にあり、排気口１８下方には、排気風が直接床面に当たるのを防ぎ、且つ途中停止などでターボファン１９内で発生する結露水を受ける風方向変換部２４を備えている。脱臭手段１２、排気口１８、排気手段１６は本体１の後方に設けられている後部カバー２８内に設けられている。
【０００５】
上記の様な従来の生ごみ処理機において動作を説明すると、乾燥用ヒータ５で加熱された空気が乾燥ファン８によって生ごみ収納容器２内に送り出され、生ごみを加熱する。加熱された生ごみより発生した蒸気は、排気手段１４であるターボファン１９によって吸引されることにより、接続パイプ１１を介して脱臭手段１２に至る。同時に吸気口１０より外気が生ごみ収納容器２内に流入する。
【０００６】
そして、脱臭手段１２の加熱手段である触媒加熱ヒータ１５が作動し触媒１４が加熱され、生ごみ収納容器２内の臭気を含む空気を脱臭した後、冷却用のシロッコファン２０によって室温程度の温度まで冷却して排気口１８を介して、風方向変換部２４によって後方に向きを変えて排出する。同時に生ごみは、回転する撹拌刃３により、撹拌・粉砕されながら乾燥され、乾燥終了後は、減量・細分化される（例えば、特許文献１参照）。
【特許文献１】特開２００２−２０５０２８号公報
【発明の開示】
【発明が解決しようとする課題】
【０００７】
しかしながら、上記従来の構成では、脱臭手段１２、排気口１８、排気手段１６を有した後部カバー３２が本体１の後方に大きく出っ張り、見た目以上に実際の設置面積は大きくなっていた。
【０００８】
また、生ごみ収納容器２の高さが若干低く、生ごみ投入時や生ごみ収納容器２の着脱時に中腰になる為、使用性が低いという問題もあった。
【０００９】
本発明は上記課題を解決するもので、設置面積が小さく使用性の高い生ごみ処理機の提供することを目的とする。
【課題を解決するための手段】
【００１０】
上記課題を解決するために本発明は、生ごみを収納する生ごみ収納容器と前記生ごみを撹拌する撹拌手段とを内蔵した本体と、前記生ごみ収納容器内および／または前記本体内の空気を外部へ排出する排気手段とを備え、前記生ごみ収納容器の略下方に前記排出手段を配設した生ごみ処理機で、本体の前後長を抑えることで設置面積を小さくでき、その結果、設置面積が小さくマンションやアパートでも容易に設置できる。また、高さ方向には、若干高くなるため、生ごみ投入時や生ごみ収納容器２の着脱時に中腰になることもなく、使用性も向上できる。
【００１１】
さらには、排気手段が排出する排気を本体の下方から排出する構成が容易となるため、前記排気が使用者にふれにくくなり、使用性が向上する。
【発明の効果】
【００１２】
本発明によれば、設置面積が小さく使用性の高い生ごみ処理機の提供できる。
【発明を実施するための最良の形態】
【００１３】
第１の発明は、生ごみを収納する生ごみ収納容器と前記生ごみを撹拌する撹拌手段とを内蔵した本体と、前記生ごみ収納容器内および／または前記本体内の空気を外部へ排出する排気手段とを備え、前記生ごみ収納容器の略下方に前記排出手段を配設した生ごみ処理機で、本体の前後長を抑えることで設置面積を小さくでき、その結果、設置面積が小さくマンションやアパートでも容易に設置できる。また、高さ方向には、若干高くなるため、生ごみ投入時や生ごみ収納容器の着脱時に中腰になることもなく、使用性も向上できる。さらには、排気手段が排出する排気を本体の下方から排出する構成が容易となるため、前記排気が使用者にふれにくくなり、使用性が向上する。
【００１４】
第２の発明は、排気手段を、ターボファンと前記ターボファンの周囲を覆い開口を有するファンケースとで構成したもので、ターボファンの性能アップと本体内部への排気漏れを防止しできる排気手段を有する高効率である生ごみ処理機を提供できる。
【００１５】
第３の発明は、ターボファンのファン側を、本体の接地面の方向に対向するように配設して排気手段を構成したもので、生ごみ収納容器の投入口を、使い勝手の良い高さに配設できるとともに、生ごみ投入時や生ごみ収納容器の着脱時に中腰になることなく、使用性のよい生ごみ処理機を提供できる。
【００１６】
第４の発明は、ターボファンのファン側を、本体の接地面に対して略水平方向に向くように配設して排気手段を構成したもので、本体高さを低くしてコンパクトにできるため、コンパクトで効率が良く低コスト化を実現した生ごみ処理機を提供できる。
【００１７】
第５の発明は、ターボファンの少なくとも片面にシロッコファンを形成して、前記ターボファンは、生ごみ収納容器からの空気を、前記シロッコファンは本体内からの空気を吸引するとともに、前記吸引した両空気は、前記ファンケースからの排気時に混合されるよう構成したもので、ターボファンとシロッコファンの個々の性能を最大限に出しつつ、ファンケースの排気時には、前記両空気を混合して排気の温度低減した後に、本体外に排気するため、安全で排気効率の良い生ごみ処理機を提供できる。
【００１８】
第６の発明は、ターボファンの反吸気口側の面にシロッコファンを形成して、ファンケース内部では、前記シロッコファンと前記ターボファンとの回転により発生する空気はそれぞれ分離して流れるよう構成したもので、ターボファンとシロッコファンの個々の性能を最大限に出しつつ、ファンケースの排気時には、前記両空気を混合して排気の温度低減した後に、本体外に排気するため、安全で排気効率の良いとともに、容易に前記両空気が流れる流路を分離でき、排気の効率の良い生ごみ処理機を提供できる。
【００１９】
第７の発明は、ターボファンの吸気口側の面にシロッコファンを形成して、ファンケース内部では、前記シロッコファンと前記ターボファンとの回転により発生する空気はそれぞれ分離して流れるように、前記シロッコファン外周に隔壁を設けたもので、ターボファンの吸気口側と同一面にシロッコファンを形成しているので、コンパクトで設置面積が小さく且つ排気の効率の良い生ごみ処理機を提供できる。
【００２０】
第８の発明は、本体内に空気を取り入れるための流入口の上方に、把手部を設けたもので、外気が冷却風の流入口より本体内に流入し、排気手段によって吸引され本体の下方に下がり、本体及び排気を冷却し排気口より排気される。ここで、把手部は冷却風の流入によって常に冷やされるので、運転中も温度が低く、人が触れても安全である。
【００２１】
また、屋外に設置された場合でも、流入口の上方に把手部が配設してあるので、雨水等の外部からの水が冷却口に直接入るのを防止でき、冷却効率が良く使い勝手が良い生ごみ処理機を提供できる。
【００２２】
第９の発明は、流入口の本体内方側に、前記流入口に対向させて壁部を形成したもので、冷却風の流入口より万が一雨水等の水が流入しても、前記壁部によって本体内部への侵入を防止でき、冷却効率が良く外置きにも対応可能な、使い勝手が良い生ごみ処理機を提供できる。
【００２３】
第１０の発明は、流入口の本体内方側に、格子状でかつ前記流入口に対して傾斜させた壁部を形成したもので、冷却風の流入口が格子状なので、ねずみ等の小動物が本体内に侵入するのを防ぎ、且つ冷却風の流入口より万が一雨水等の水が流入しても、格子状の斜め壁によって本体内部への侵入を防止でき、冷却効率が良く外置きにも対応可能な、使い勝手が良い生ごみ処理機を提供できる。
【００２４】
第１１の発明は、蓋を開けた際に、前記蓋が把手部の上方に位置する構成としたもので、本体後部を壁面に近接して設置した場合でも、壁面と干渉することなく蓋開閉をでき、本体後部の冷却もできる効率のよい生ごみ処理機を提供できる。
【００２５】
第１２の発明は、ファンケースの排気下流側に排気減速部を設けたもので、排気風速を低減することによって風切り音を抑え、排気風の音を低減できる生ごみ処理機を提供できる。
【００２６】
第１３の発明は、排気減速部の排気下流側に風方向変換部を設けたもので、排気を風方向変換部によって方向を変換しているので、直接的な排気音を抑えて騒音を低減できる。さらに、外気温が低いときに、床面に直接蒸気があたり床上で結露水が発生するのを防止し、排気減速部の内面で蒸気が結露し水となり滴下しても、水を床に直接落とさない。よって、清潔で快適な生ごみ処理機を提供できる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における生ごみ処理機の側断面図である。図２は、同生ごみ処理機の後方断面図である。図３は、同生ごみ処理機の上方部分断面図である。
図４は、同他の生ごみ処理機の後方断面図である。
【００２９】
図１に示されるように、生ごみ処理機本体１は、２は生ごみを収納する生ごみ収納容器２を備え、生ごみ収納容器２の底面に生ごみを撹拌する撹拌羽根３を備えている。撹拌羽根３は、生ごみ収納容器２の下方に備えた駆動手段４によって駆動している。駆動手段４は、撹拌羽根３を間欠的に動作させ、生ごみを粉砕し蒸気の発生を促すことを繰り返している。駆動手段４及び後に説明する電気負荷の全ては、生ごみ処理機の後段に設けた制御手段５によってコントロールされている。生ごみ収納容器２の上部に生ごみを加熱する加熱手段６が配してあり、加熱手段６は乾燥用ヒータ７及び、乾燥ファン８から構成され、熱風を生ごみに当てて生ごみの表面を加熱する。なお、乾燥ファン７は乾燥モーター９により回転駆動される。
【００３０】
また、生ごみ収納容器２の上方には吸気口１０が設けられており、この吸気口１０は生ごみ収納容器２を介して接続パイプ１１を通じて脱臭手段１２に接続されている。ここで生ごみ収納容器２の上方の加熱手段６や、吸気口１０や接続パイプ１１は、閉時に生ごみ収納容器２を密閉する蓋１３内に備わっている。脱臭手段１２は、加熱されて臭気を脱臭する触媒１４と、触媒１４を加熱する触媒加熱ヒータ１５より構成されている。脱臭手段１２の後段は、駆動手段４の下方に備えた排気手段１６を経て、排気減速部１７を介し排気口１８より外部へ排出される。
【００３１】
排気手段１６は、ターボファン１９、ターボファン１９の吸気口側に設けられ、本体１内を冷却するためのシロッコファン２０、ターボファン１９を囲むファンケース２１、ターボファン１９を駆動させる排気モーター２２ターボファン１９と近接させることによって、ターボファン１９の吸引圧と吸引風量を発生させるファンガイド２３から構成されており、ファンガイド２３は、脱臭手段１２の下流側に連通している。
【００３２】
また、排気手段１６は、ターボファン１９のファン側と前記ファンケース２１の開口側を、本体１の接地面に対して略水平方向に向く向きに取り付けられており、本体１の下から排気手段１６、駆動手段４、生ごみ収納容器２と直列に配置しており、生ごみ収納容器２の高さは、生ごみ投入時や生ごみ収納容器２の着脱時に中腰になることない高さに設定している。
【００３３】
排気口１８の下流側には、排気風の方向を変え且つ途中停止などでターボファン１９内に発生する結露水を受ける風方向変換部２４を備えており、その上に結露水を一時的に保持するフィルター２５を配置している。排気口１８及び風方向変換部２４は、排気減速部１７に設けられている。また、生ごみ収納容器２はその上部をボデーウエ２６に保持され、ボデーウエ２６には、本体１を移動する際に手を掛ける略Ｌ字状の把手部２７を左右側面に１個、後面に１個設け、把手部２７の略Ｌ字形状の内方には、補強のために格子状のリブ２８が、本体１を冷却するための冷却風の流入口２９から、本体１の内方に向かって設けられている。リブ２８は、本体１の内方側にて冷却風の流入口２９に対し斜めになっており、冷却風の流入口２９の正面側から見て、本体１の内方が直接見えないようになっている。更に後面の把手部２７は、蓋１３を開けた状態で、蓋１３よりも後方まで伸びている。
【００３４】
以上のように構成された生ごみ処理機について、以下その動作、作用を説明する。
【００３５】
蓋１３を開け生ごみ収納容器２に生ごみを投入し、蓋１３を閉め本体１のスイッチを入れ運転を開始させると、乾燥用ヒータ７で加熱された空気が乾燥ファン８によって生ごみ収納容器２内に送り出され、生ごみを加熱する。加熱された生ごみより発生した蒸気は、排気手段１４であるターボファン１９によって吸引されることにより、接続パイプ１１を介して脱臭手段１２に至る。同時に吸気口１０より外気が生ごみ収納容器２内に流入する。
【００３６】
そして脱臭手段１２の加熱手段である触媒加熱ヒータ１５が作動し、触媒１４が加熱され、生ごみ収納容器２内の臭気を含む空気を脱臭した後、冷却用のシロッコファン２０によって室温程度の温度まで冷却して、排気減速部１７にて流速をおとし、排気音を低減させた後、排気口１８より本体１の外部に排出され、風方向変換部２４によって後方に向きを変え、外気に排気される。同時に生ごみは、回転する撹拌刃３により、撹拌・粉砕されながら乾燥され、乾燥終了後は、減量・細分化される。
【００３７】
ここで、撹拌を担う駆動手段４の下方、つまり前記生ごみ収納容器２の下方に排気手段１６を配したので、本体１の前後長を抑えることで設置面積を小さくした。よって設置面積が小さくマンションやアパートでも容易に設置できる生ごみ処理機を提供できる。また、排気手段１６が排出する排気を本体１の下方から排出する構成が容易となるため、前記排気が使用者にふれにくくなり、使用性が向上する。なお、上記効果は、ターボファン１９とシロッコファン２０を別々として配置し、少なくともどちらかを、生ごみ収納容器２の下方に配設しても、満足するものである。
【００３８】
また、ターボファン１９とシロッコファン２０をファンケース２１にて囲っているので、ターボファン１９とシロッコファン２０の性能アップと本体１内部への排気漏れを防止している。
【００３９】
また、ターボファン１９の吸気口と同一面にシロッコファン２０を形成しているので、ファンの厚みが薄くなり、結果的にターボファンケース２１もコンパクトになる。よって、生ごみ処理機の基本性能である排気手段１６がコンパクトな上に高効率である生ごみ処理機を提供できる。
【００４０】
さらに、生ごみ収納容器２の投入口を使い勝手の良い高さに配設でき、生ごみ投入時や生ごみ収納容器２の着脱時に中腰になることなく、使用性のよい生ごみ収納容器２の高さを実現した生ごみ処理機を提供できる。
【００４１】
その上、排気による騒音は、排気減速部１７で排気風速を低減し風切り音を抑え、風方向変換部２４によって排気の方向を変換しているので、直接的な排気音を抑えている。また、風方向変換部２４は外気温が低いときに、床面に直接蒸気があたり床上で結露水が発生するのを防止し、排気減速部の内面で蒸気が結露し水となり滴下しても、水を床に直接落とさない。
【００４２】
更に、外気が冷却風の流入口２９より本体１内に流入し、排気手段１６によって吸引され、本体１の下方に下がり、本体１及び排気を冷却し排気口１８より排気される。ここで、把手部２７は冷却風の流入によって常に冷やされるので、運転中も温度が低く、人が触れても安全である。また、屋外に設置された場合でも、把手部が２７略Ｌ字状且つ、内側に格子状のリブ２８があるので、雨水等の外部からの水が冷却風の流入口２９に直接入るのを防ぐ。万が一水が冷却風の流入口２９から侵入しても、本体１内部側にて冷却風の流入口２９に対し、斜めになっているリブ２８に当たり、下方に滴下する。よって、本体１内のリブ２８より内部に水が侵入することはない。また、本体１の後面を壁面に近接させて設置しても、蓋１７を開けた状態で壁に当たることはない。よって冷却効率が良く使い勝手が良い生ごみ処理機を提供できる。
【００４３】
なお、図４に示すように、本体１の内側のリブ２８を冷却風の流入口２９に対し斜めにする代わりに、冷却風の流入口２９の本体側の対面（外側でも可）に垂れ壁部３０を設け、冷却風の流入口２９の正面側から見て本体１の内部が直接見えないようにしても、同様の効果を得ることは言うまでもない。
【００４４】
（実施の形態２）
図５は、本発明の第２の実施の形態における生ごみ処理機の排気手段の側断面図である。以下、なお、上記実施の形態と同一構成部品については同一符号を付して説明を省略する。
【００４５】
図５において、ファンケース２１内部において、シロッコファン２０とターボファン１９の回転によって生じる空気流路を分離するように、前記シロッコファン２０外周に隔壁３１を設けたものである。
【００４６】
これにより、前記それぞれの空気流路を分離することで、ターボファン１９とシロッコファン２０の個々の性能を最大限に出しつつ、ファンケース２１の排気時には混合して排気の温度低減をし、本体１外に排気する効率の良い生ごみ処理機を提供できる。
【００４７】
（実施の形態３）
図６は、本発明の第３の実施の形態における生ごみ処理機の排気手段の側断面図である。なお、上記実施の形態と同一構成部品については同一符号を付して説明を省略する。
【００４８】
図６において、ターボファン１９の反吸気口側の面に本体１を冷却するためのシロッコファン２０を形成して、ファンケース２１内部ではシロッコファン２０とターボファン１９の空気流路を分離し、ファンケース２１の排気時に混合するようにした
よって、ターボファン１９の反吸気口側の面に本体を冷却するためのシロッコファン２０を形成してので、隔壁３１がなくとも容易にそれぞれの空気流路を分離でき、排気の効率の良い生ごみ処理機を提供できる。
【００４９】
（実施の形態４）
図７は、本発明の第４の実施の形態における生ごみ処理機の側断面図である。なお上記実施の形態と同一構成部品については同一符号を付して説明を省略する。
【００５０】
図７において、ターボファン１９とファンケース２１からなる排気手段１６において、前記ターボファン１９のファン側と前記ファンケース２１の開口側を、本体１の接地面の方向に対向するように配設し、本体１の高さが低くなるようしてコンパクトに設計したものである。
【００５１】
これにより、コンパクトで排気効率が良く、低コスト化を実現した生ごみ処理機を提供できる。
【産業上の利用可能性】
【００５２】
以上のように、本発明にかかる生ごみ処理機は、設置面積が小さく使用性の高い生ごみ処理機の提供できるため、家庭用、業務用を問わず、生ごみ処理機全般に有用である。
【図面の簡単な説明】
【００５３】
【図１】本発明の第１の実施の形態の生ごみ処理機の側断面図
【図２】同生ごみ処理機の後方断面図
【図３】同生ごみ処理機の上方部分断面図
【図４】同他の生ごみ処理機の後方断面図
【図５】本発明の第２の実施の形態の排気手段の側断面図
【図６】本発明の第３の実施の形態の排気手段の側断面図
【図７】本発明の第４の実施の形態の生ごみ処理機要部断面図
【図８】従来の生ごみ処理機の本体断面図
【符号の説明】
【００５４】
２  生ごみ収納容器
３  撹拌羽根（撹拌手段）
６  加熱手段
１２  脱臭手段
１６  排気手段（排出手段）
１７  排気減速部
１８  排気口
１９  ターボファン
２０  シロッコファン
２１  ファンケース
２４  風方向変換板
２５  把手部
２９  流入口
【図１】
2005218929.tif 000003
【図２】
2005218929.tif 000004
【図３】
2005218929.tif 000005
【図４】
2005218929.tif 000006
【図５】
2005218929.tif 000007
【図６】
2005218929.tif 000008
【図７】
2005218929.tif 000009
【図８】
2005218929.tif 000010